(57)【要約】  優先度情報を持つ複数の符号化データを含む符号化ストリームに対して最適な復号化処理の適用を可能とする。  優先度情報を持つ複数の符号化データを含む符号化ストリームを取得する。何番目の優先度まで復号化可能かを示す受信側の復号化能力情報に基づいて受信側の復号化能力が自身の復号化能力以上か否かを判断する。受信側の復号化能力が自身の復号化能力以上であるときは、符号化ストリームを送信する。一方、受信側の復号化能力が自身の復号化能力以上でないとき、符号化ストリームに復号化処理を施して生成した、復号化済データを含む復号化済ストリームを送信する。
2016163327.tif 000002
【特許請求の範囲】
【請求項１】
優先度情報を持つ複数の符号化データを含む符号化ストリームを取得するストリーム取得部と、
上記ストリーム取得部で取得された符号化ストリームに復号化処理を施して復号化済データを含む復号化済ストリームを生成するデコード部と、
何番目の優先度まで復号化可能かを示す受信側の復号化能力情報に基づいて上記受信側の復号化能力が自身の復号化能力以上か否かを判断する判断部と、
上記受信側に、デジタルインタフェースを介して、上記判断部で上記受信側の復号化能力が自身の復号化能力以上であると判断されたときは上記ストリーム取得部で取得された符号化ストリームを送信し、上記判断部で上記受信側の復号化能力が自身の復号化能力以上でないと判断されたときは上記デコード部で生成された復号化済ストリームを送信する送信部を備える
送信装置。
【請求項２】
上記符号化ストリームは、優先度情報を持つ複数のオブジェクト音源の符号化データを含むオブジェクトベースオーディオの符号化オーディオストリームであり、
上記デコード部は、上記ストリーム取得部で取得された上記符号化オーディオストリームに復号化処理を施して上記復号化済データとして所定チャネル数の音声データを含む復号化済オーディオストリームを生成する
請求項１に記載の送信装置。
【請求項３】
上記受信側から、上記デジタルインタフェースを介して、上記受信側の復号化能力情報を受信する情報受信部をさらに備える
請求項１に記載の送信装置。
【請求項４】
上記デジタルインタフェースはＨＤＭＩである
請求項１に記載の送信装置。
【請求項５】
優先度報を持つ複数の符号化データを含む符号化ストリームを取得するストリーム取得ステップと、
何番目の優先度まで復号化可能かを示す受信側の復号化能力情報に基づいて上記受信側の復号化能力が自身の復号化能力以上か否かを判断する判断ステップと、
送信部により、上記受信側に、デジタルインタフェースを介して、上記判断ステップで上記受信側の復号化能力が自身の復号化能力以上であると判断されたときは上記ストリーム取得ステップで取得された符号化ストリームを送信し、上記判断ステップで上記受信側の復号化能力が自身の復号化能力以上でないと判断されたときは上記ストリーム取得ステップで取得された符号化ストリームに復号化処理を施して生成された、復号化済データを持つ復号化済ストリームを送信する送信ステップを有する
送信方法。
【請求項６】
何番目の優先度まで復号化可能かを示す自身の復号化能力情報を、デジタルインタフェースを介して、送信側に送信する情報送信部と、
上記送信側から、上記デジタルインタフェースを介して、優先度情報を持つ複数の符号化データを含む符号化ストリームまたは該符号化ストリームに復号化処理が施されて生成された復号化済データを持つ復号化済ストリームを受信する受信部と、
上記受信部で上記符号化ストリームが受信されたとき、該符号化ストリームに復号化処理を施して復号化済データを含む復号化済ストリームを生成するデコード部を備える
受信装置。
【請求項７】
上記符号化ストリームは、優先度情報を持つ複数のオブジェクト音源の符号化データを含むオブジェクトベースオーディオの符号化オーディオストリームであり、
上記復号化済ストリームは、上記符号化オーディオストリームに復号化処理が施されて生成された所定チャネル数の音声データを上記復号化済みデータとして含む
請求項６に記載の受信装置。
【請求項８】
上記デジタルインタフェースはＨＤＭＩである
請求項６に記載の受信装置。
【請求項９】
何番目の優先度まで復号化可能かを示す自身の復号化能力情報を、デジタルインタフェースを介して、送信側に送信する情報送信ステップと、
受信部により、上記送信側から、上記デジタルインタフェースを介して、優先度情報を持つ複数の符号化データを含む符号化ストリームまたは該符号化ストリームに復号化処理が施されて生成された復号化済データを持つ復号化済ストリームを受信する受信ステップと、
上記受信ステップで上記符号化ストリームが受信されたとき、該符号化ストリームに復号化処理を施して復号化済データを含む復号化済ストリームを生成するデコードステップを有する
受信方法。
【発明の詳細な説明】
【技術分野】
【０００１】
この発明は、送信装置、送信方法、受信装置および受信方法に関し、詳しくは、優先度情報を持つ複数の符号化データを取り扱う送信装置等に関する。
【背景技術】
【０００２】
従来、受信機は復号化可能であることのみデジタルインタフェースを介して送信機に通知することが可能であった。この場合、送信機と受信機の両方が復号化可能であった場合、送信機がどちらで復号化を行うかを判断する、あるいは視聴者が自身の操作で復号化を行う機器を指定するという形で伝送が行われている。送信機は受信機の復号化能力の品質を知るすべがなく、また視聴者も両機器のうちどちらの復号化能力が優れているかを判断することは非常に困難であった。【０００３】
例えば、特許文献１には、オブジェクトベースオーディオのミキシング技術が記載されている。オブジェクトベースオーディオは、個々のオブジェクト音源をミキシングせずに供給し、再生機器側でレンダリングすることで立体音響を実現するものである。【０００４】
オブジェクトベースオーディオの符号化ストリームには、複数のオブジェクト音源の符号化データが含まれる。各オブジェクト音源の符号化データは、音データの他に、座標軸上の位置情報などのメタデータから構成されている。各オブジェクト音源の符号化データに、復号化の際の優先度を示す優先度情報を持たせることも考えられている。
【先行技術文献】
【特許文献】
【０００５】
【特許文献１】特表２０１４−５２３１９０号公報
【発明の概要】
【発明が解決しようとする課題】
【０００６】
本技術は、優先度情報を持つ複数の符号化データを含む符号化ストリームに対して最適な復号化処理の適用を可能とすることにある。
【課題を解決するための手段】
【０００７】
本技術の概念は、
優先度情報を持つ複数の符号化データを含む符号化ストリームを取得するストリーム取得部と、
上記ストリーム取得部で取得された符号化ストリームに復号化処理を施して復号化済データを含む復号化済ストリームを生成するデコード部と、
何番目の優先度まで復号化可能かを示す受信側の復号化能力情報に基づいて上記受信側の復号化能力が自身の復号化能力以上か否かを判断する判断部と、
上記受信側に、デジタルインタフェースを介して、上記判断部で上記受信側の復号化能力が自身の復号化能力以上であると判断されたときは上記ストリーム取得部で取得された符号化ストリームを送信し、上記判断部で上記受信側の復号化能力が自身の復号化能力以上でないと判断されるときは上記デコード部で生成された復号化済ストリームを送信する送信部を備える
送信装置にある。【０００８】
本技術において、ストリーム取得部により、優先度情報を持つ複数の符号化データを含む符号化ストリームが取得される。デコード部により、ストリーム取得部で取得された符号化ストリームに復号化処理が施されて復号化済データを含む復号化済ストリームが生成される。例えば、符号化ストリームは、優先度情報を持つ複数のオブジェクト音源の符号化データを含むオブジェクトベースオーディオの符号化オーディオストリームであり、デコード部は、ストリーム取得部で取得された符号化オーディオストリームに復号化処理を施して復号化済データとして所定チャネル数のオーディオデータを含む復号化済オーディオストリームを生成する、ようにされてもよい。【０００９】
判断部により、何番目の優先度まで復号化可能かを示す受信側の復号化能力情報に基づいて、受信側の復号化能力が自身の復号化能力以上か否かが判断される。例えば、受信側から、デジタルインタフェースを介して、受信側の復号化能力情報を受信する情報受信部をさらに備える、ようにされてもよい。【００１０】
送信部により、受信側に、デジタルインタフェースを介して、ストリーム取得部で取得された符号化ストリームあるいはデコード部で生成された復号化済ストリームが送信される。例えば、デジタルインタフェースは、ＨＤＭＩである、ようにされてもよい。この場合、判断部で受信側の復号化能力が自身の復号化能力以上であると判断されたときは符号化ストリームが送信され、判断部で受信側の復号化能力が自身の復号化能力以上でないと判断されたときは復号化済ストリームが送信される。【００１１】
このように本技術においては、受信側の復号化能力が自身の復号化能力以上であるときは符号化ストリームを送信し、受信側の復号化能力が自身の復号化能力以上でないときは復号化済ストリームを送信するものであり、符号化ストリームに対して最適な復号化処理の適用が可能となる。【００１２】
また、本技術の他の概念は、
何番目の優先度まで復号化可能かを示す自身の復号化能力情報を、デジタルインタフェースを介して、送信側に送信する情報送信部と、
上記送信側から、上記デジタルインタフェースを介して、優先度情報を持つ複数の符号化データを含む符号化ストリームまたは該符号化ストリームに復号化処理が施されて生成された復号化済データを持つ復号化済ストリームを受信する受信部と、
上記受信部で上記符号化ストリームが受信されたとき、該符号化ストリームに復号化処理を施して復号化済データを含む復号化済ストリームを生成するデコード部を備える
受信装置にある。【００１３】
本技術において、情報送信部により、何番目の優先度まで復号化可能かを示す自身の復号化能力情報が、デジタルインタフェースを介して、送信側に送信される。例えば、デジタルインタフェースはＨＤＭＩである、ようにされてもよい。【００１４】
受信部により、送信側から、デジタルインタフェースを介して、優先度情報を持つ複数の符号化データを含む符号化ストリームまたはこの符号化ストリームに復号化処理が施されて生成された復号化済データを持つ復号化済ストリームが受信される。デコード部により、受信部で符号化ストリームが受信されたとき、この符号化ストリームに復号化処理が施されて復号化済データを含む復号化済ストリームが生成される。【００１５】
例えば、符号化ストリームは、優先度情報を持つ複数のオブジェクト音源の符号化データを含むオブジェクトベースオーディオの符号化オーディオストリームであり、復号化済ストリームは、符号化オーディオストリームに復号化処理が施されて生成された所定チャネル数のオーディオデータを復号化済みデータとして含む、ようにされてもよい。【００１６】
このように本技術においては、自身の復号化能力情報を、デジタルインタフェースを介して、送信側に送信するものであり、送信側ではこの復号化能力情報に基づいて受信側の復号化能力が自身の復号化能力以上か否かを判断し、受信側の復号化能力が自身の復号化能力以上であるときは符号化ストリームを送信し、受信側の復号化能力が自身の復号化能力以上でないときは復号化済ストリームを送信することが可能となり、符号化ストリームに対して最適な復号化処理の適用が可能となる。
【発明の効果】
【００１７】
本技術によれば、優先度情報を持つ複数の符号化データを含む符号化ストリームに対して最適な復号化処理の適用が可能となる。なお、本明細書に記載された効果はあくまで例示であって限定されるものではなく、また付加的な効果があってもよい。
【図面の簡単な説明】
【００１８】
【図１】実施の形態としてのＡＶシステムの構成例を示すブロック図である。
【図２】ＡＶシステムを構成するＢＤプレーヤの構成例を示すブロック図である。
【図３】受信側の復号化能力情報の一例の構造を示す図である。
【図４】ＢＤプレーヤのＣＰＵにおける制御処理手順の一例を示すフローチャートである。
【図５】ＡＶシステムを構成するオーディオアンプの構成例を示すブロック図である。
【図６】ＡＶシステムを構成するテレビ受信機の構成例を示すブロック図である。
【図７】ＢＤプレーヤのＨＤＭＩ送信部とオーディオアンプのＨＤＭＩ受信部の構成例を示すブロック図である。
【図８】ＴＭＤＳチャネルにおいて横×縦が１９２０ピクセル×１０８０ラインの画像データが伝送される場合の各種の伝送データの区間を示す図である。
【発明を実施するための形態】
【００１９】
以下、発明を実施するための形態（以下、「実施の形態」とする）について説明する。なお、説明を以下の順序で行う。
１．実施の形態
２．変形例
【００２０】
＜１．実施の形態＞
［ＡＶシステムの構成例］
図１は、実施の形態としてのＡＶ（Audio Visual）システム１０の構成例を示している。このＡＶシステム１０は、ソース機器としてのＢＤ(Blu-Ray Disc)プレーヤ１００と、リピータ機器としてのオーディオアンプ２００と、シンク機器としてのテレビ受信機３００を有している。オーディオアンプ２００には、マルチチャネル用のスピーカシステム４００が接続されている。
【００２１】
また、ＢＤプレーヤ１００およびオーディオアンプ２００はＨＤＭＩケーブル５１０を介して接続されている。ＢＤプレーヤ１００には、ＨＤＭＩ送信部（HDNI TX）１０２が接続されたＨＤＭＩ端子１０１が設けられている。オーディオアンプ２００には、ＨＤＭＩ受信部（HDMI RX）２０２ａが接続されたＨＤＭＩ端子２０１ａが設けられている。ＨＤＭＩケーブル５１０の一端はＢＤプレーヤ１００のＨＤＭＩ端子１０１に接続され、その他端はオーディオアンプ２００のＨＤＭＩ端子２０１ａに接続されている。
【００２２】
オーディオアンプ２００およびテレビ受信機３００はＨＤＭＩケーブル５２０を介して接続されている。オーディオアンプ２００には、ＨＤＭＩ送信部（HDMI TX）２０２ｂが接続されたＨＤＭＩ端子２０１ｂが設けられている。テレビ受信機１００には、ＨＤＭＩ受信部（HDMI RX）３０２が接続されたＨＤＭＩ端子３０１が設けられている。ＨＤＭＩケーブル５２０の一端はオーディオアンプ２００のＨＤＭＩ端子２０１ｂに接続され、その他端はテレビ受信機３００のＨＤＭＩ端子３０１に接続されている。なお、「ＨＤＭＩ」は登録商標である。
【００２３】
［ＢＤプレーヤの構成例］
図２は、ＢＤプレーヤ１００の構成例を示している。このＢＤプレーヤ１００は、ＨＤＭＩ端子１０１と、ＨＤＭＩ送信部１０２を有している。また、このＢＤプレーヤ１００は、内部バス１０３と、ＣＰＵ（Central Processing Unit）１０４と、フラッシュＲＯＭ（Read Only Memory）１０５と、ＳＤＲＡＭ（Synchronous Random Access Memory）１０６と、表示制御部１０７と、リモコン受信部１０８と、リモコン送信機１０９を有している。
【００２４】
また、ＢＤプレーヤ１００は、記憶（記録）媒体制御インタフェース１１１と、ＢＤ(Blu-Ray Disc)ドライブ１１２と、ＨＤＤ（Hard disk drive）１１３と、ＳＳＤ（Solid State Drive）１１４と、イーサネットインタフェース（Ethernet I/F）１１５と、ネットワーク端子１１６を有している。なお、「イーサネット」および「Ｅｔｈｅｒｎｅｔ」は登録商標である。
【００２５】
また、ＢＤプレーヤ１００は、デマルチプレクサ１２１と、ビデオデコーダ１２２と、グラフィック生成回路１２３と、映像出力端子１２４と、パネル駆動回路１２５と、表示パネル１２６と、オーディオデコーダ１２７と、選択部１２８と、音声出力端子１２９を有している。また、ＢＤプレーヤ１００は、電源部１３１を有している。電源部１３１は、ＢＤプレーヤ１００の各部に電源を供給する。なお、電源部１３１は、ＡＣ電源であっても、電池（蓄電池、乾電池）であってもよい。
【００２６】
ＣＰＵ１０４、フラッシュＲＯＭ１０５、ＳＤＲＡＭ１０６、表示制御部１０７、記憶媒体制御インタフェース１１１、イーサネットインタフェース１１５およびデマルチプレクサ１２１は、内部バス１０３に接続されている。ＣＰＵ１０４は、ＢＤプレーヤ１００の各部の動作を制御する。
【００２７】
フラッシュＲＯＭ１０５は、制御ソフトウェアの格納およびデータの保管を行う。ＳＤＲＡＭ１０６は、ＣＰＵ１０４のワークエリアを構成する。ＣＰＵ１０４は、フラッシュＲＯＭ１０５から読み出したソフトウェアやデータをＳＤＲＡＭ１０６上に展開してソフトウェアを起動させ、ＢＤプレーヤ１００の各部を制御する。
【００２８】
リモコン受信部１０８は、リモコン送信機１０９から送信されたリモーコントロール信号（リモコンコード）を受信し、ＣＰＵ１０４に供給する。ＣＰＵ１０４は、リモコンコードに従ってＢＤプレーヤ１００の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００２９】
ＢＤドライブ１１２は、ディスク状記録メディアとしてのＢＤディスクに対して、コンテンツデータを記録し、あるいは、このＢＤディスクからコンテンツデータを再生する。ＨＤＤ１１３は、コンテンツデータを記録し、あるいは、そのコンテンツデータを再生する。ＳＳＤ１１４は、メモリカード等の半導体メモリに対して、コンテンツデータを記録し、あるいは、この半導体メモリからコンテンツデータを再生する。
【００３０】
ＢＤドライブ１１２、ＨＤＤ１１３、ＳＳＤ１１４は、記憶媒体制御インタフェース１１１を介して内部バス１０３に接続されている。例えば、ＢＤドライブ１１２やＨＤＤ１１３のためのインタフェースとしてはＳＡＴＡインタフェースが使用される。また、例えば、ＳＳＤ１１４のためのインタフェースとしてＳＡＴＡインタフェースあるいはＰＣＩｅインタフェースが使用される。
【００３１】
ネットワーク端子１１６は、ネットワークに接続する端子であり、イーサネットインタフェース１１５に接続される。イーサネットインタフェース１１５は、ネットワーク端子１１６を介して、ネットワーク接続をする。
【００３２】
デマルチプレクサ１２１は、ＢＤドライブ１１２、ＨＤＤ１１３あるいはＳＳＤ１１４で再生されたコンテンツデータである多重化ストリームから符号化ビデオストリームおよび符号化オーディオストリームを抽出する。ビデオデコーダ１２２は、符号化ビデオストリームに対して復号化処理を行って、非圧縮の画像データを得る。
【００３３】
グラフィック生成回路１２３は、ビデオデコーダ１２２で得られた画像データに対して、必要に応じてグラフィックスデータの重畳処理等を行う。映像出力端子１２４は、グラフィック生成回路１２３から出力される画像データを出力する。
【００３４】
パネル駆動回路１２５は、グラフィック生成回路１２３から出力される画像データに基づいて、表示パネル１２６を駆動する。表示制御部１０７は、グラフィクス生成回路１２３やパネル駆動回路１２５を制御して、表示パネル１２６における表示を制御する。表示パネル１２６は、例えば、ＬＣＤ(Liquid Crystal Display)、ＰＤＰ(Plasma Display Panel)、有機ＥＬパネル（Organic Electro-Luminescence Panel）等で構成されている。
【００３５】
なお、この実施の形態では、ＣＰＵ１０４の他に、表示制御部１０７を有する例を示しているが、表示パネル１２６における表示をＣＰＵ１０４が直接制御するようにしてもよい。また、ＣＰＵ１０４と表示制御部１０７は、１つのチップになっていても、複数コアであってもよい。
【００３６】
オーディオデコーダ１２７は、デマルチプレクサ１２１で抽出された符号化オーディオストリームに対して復号化処理を行って、非圧縮の音声データを得る。この実施の形態において、符号化オーディオストリームは、優先度情報を持つ複数のオブジェクト音源の符号化データを含むオブジェクトベースオーディオの符号化オーディオストリームである。各オブジェクト音源の符号化データは、音データの他に、座標軸上の位置情報などのメタデータから構成されている。
【００３７】
オーディオデコーダ１２７は、符号化オーディオストリームに対して復号化処理を施し、所定チャネル数の非圧縮の音声データを得ると共に、この所定チャネル数の非圧縮の音声データを含む復号化済オーディオストリームを生成する。音声出力端子１２９は、オーディオデコーダ１２７で得られた所定チャネル数の非圧縮の音声データを出力する。
【００３８】
なお、音声出力端子１２９に出力する非圧縮の音声データのチャネル数は、復号化済オーディオストリームに含める非圧縮の音声データのチャネル数と異なっていてもよい。例えば、復号化済オーディオストリームに含める非圧縮の音声データのチャネル数が５．１チャネル用の「６」であるのに対して、音声出力端子１２９に出力する非圧縮の音声データのチャネル数がステレオ用の「２」などである。
【００３９】
オーディオデコーダ１２７は、符号化オーディオストリームに対して復号化処理を施す際に、自身の復号化能力の範囲で行う。すなわち、オーディオデコーダ１２７は、符号化オーディオストリームに含まれる複数のオブジェクト音源の符号化データのうち、自身が復号化可能な優先度までの範囲に含まれる優先度を持つ所定数のオブジェクト音源の符号化データに対して復号化処理を施して、所定チャネル数の非圧縮の音声データを得る。
【００４０】
選択部１２８は、ＣＰＵ１０４の制御のもと、ＨＤＭＩのデジタルインタフェースで受信側に送信するオーディオストリームとして、デマルチプレクサ１２１で抽出された符号化オーディオストリームまたはオーディオデコーダ１２７で生成された復号化済オーディオストリームを取り出す。
【００４１】
ＣＰＵ１０４は、受信側の復号化能力情報、すなわち、受信側、この実施の形態ではオーディオアンプ２００が何番目の優先度まで復号化可能かを示す情報に基づいて、受信側の復号化能力が自身の復号化能力以上か否かを判断する。この実施の形態において、ＣＰＵ１０４は、この受信側の復号化能力情報を、ＨＤＭＩのデジタルインタフェースで受信側から受信する。
【００４２】
図３は、受信側の復号化能力情報の一例の構造を示している。この復号化能力情報は、図３（ａ）に示すように、全体として８ビット情報であるが、図３（ｂ）に示すように、第３ビットから第０ビットまでの下位４ビットが実質的な情報を構成している。例えば、“００００”は、オブジェクトベースオーディオの符号化オーディオストリームに対する復号化に非対応であることを示す。
【００４３】
また、例えば、“０００１”は、優先度１のみ復号化可能であること、つまり優先度１を持つオブジェクト音源の符号化データの復号化のみが可能であることを示す。また、例えば、“００１０”は、優先度２まで復号化可能であること、つまり優先度１，２を持つオブジェクト音源の符号化データの復号化が可能であることを示す。以下、同様である。
【００４４】
ＣＰＵ１０４は、受信側の復号化能力が自身の復号化能力以上であると判断するとき、選択部１２８で符号化オーディオストリームが取り出されるように制御する。また、ＣＰＵ１０４は、受信側の復号化能力が自身の復号化能力以上でないと判断するとき、選択部１２８で復号化済オーディオストリームが取り出されるように制御する。このように制御されることで、符号化オーディオストリームに対して最適な復号化処理の適用が可能となる。
【００４５】
図４のフローチャートは、ＣＰＵ１０４における制御処理手順の一例を示している。ＣＰＵ１０４は、ステップＳＴ１において、判断処理を開始する。そして、ＣＰＵ１０４は、ステップＳＴ２において、受信側からＨＤＭＩのデジタルインタフェースを通じて、受信側の復号化能力情報（図３参照）を受信する。例えば、受信側において復号化能力情報はＥＤＩＤ（Extended Display Identification Data）の一つとして記録されている。ＣＰＵ１０４は、ＤＤＣ(Display Data Channel)チャネルでＥＤＩＤを読み出すことで、受信側の復号化能力情報を取得する。
【００４６】
次に、ＣＰＵ１０４は、ステップＳＴ３において、受信側がオブジェクトベースオーディオの符号化オーディオストリームに対する復号化に対応しているか否かを判断する。復号化に対応しているとき、ＣＰＵ１０４は、ステップＳＴ４において、受信側の復号化能力が自身の復号化能力以上であるか否かを判断する。
【００４７】
受信側の復号化能力が自身の復号化能力以上であるとき、ＣＰＵ１０４は、ステップＳＴ５において、符号化オーディオストリームを出力することとし、選択部１２８で符号化オーディオストリームが取り出されるように制御する。その後、ＣＰＵ１０４は、ステップＳＴ６において、制御処理を終了する。
【００４８】
また、ステップＳＴ３で受信側がオブジェクトベースオーディオの符号化オーディオストリームに対する復号化に対応していないとき、あるいはステップＳＴ４で受信側の復号化能力が自身の復号化能力以上でないとき、ＣＰＵ１０４は、ステップＳＴ７において、復号化済オーディオストリームを出力することとし、選択部１２８で復号化済オーディオストリームが取り出されるように制御する。その後、ＣＰＵ１０４は、ステップＳＴ６において、制御処理を終了する。
【００４９】
図２に戻って、ＨＤＭＩ送信部１０２は、ＨＤＭＩに準拠した通信により、ビデオデコーダ１２２で得られた非圧縮の画像データと、選択部１２８で取り出されたオーディオストリームを、ＨＤＭＩ端子１０１から送出する。ＨＤＭＩ送信部１０２は、ＨＤＭＩのＴＭＤＳチャネルで送信するため、画像データおよびオーディオストリームをパッキングして、ＨＤＭＩ端子１０１に出力する。このＨＤＭＩ送信部１０２の詳細は後述する。
【００５０】
図２に示すＢＤプレーヤ１００の動作を簡単に説明する。記録時には、図示されていないデジタルチューナを介して、あるいはネットワーク端子１１６からイーサネットインタフェース１１５を介して、記録すべきコンテンツデータが取得される。このコンテンツデータは、記憶媒体制御インタフェース１１１に入力され、ＢＤドライブ１１２によりＢＤディスクに、ＨＤＤ１１３に、あるいはＳＳＤ１１４により半導体メモリに、記録される。
【００５１】
再生時には、ＢＤドライブ１１２、ＨＤＤ１１３、あるいはＳＳＤ１１４で再生されたコンテンツデータである多重化ストリームは、記憶媒体制御インタフェース１１１を介してデマルチプレクサ１２１に供給される。デマルチプレクサ１２１では、多重化ストリームから符号化ビデオストリームおよび符号化オーディオストリームが抽出される。
【００５２】
デマルチプレクサ１２１で抽出された符号化ビデオストリームは、ビデオデコーダ１２２に供給される。ビデオデコーダ１２２では、符号化ビデオストリームに対して復号化処理が施されて、非圧縮の画像データが得られる。この画像データは、グラフィック生成回路１２３で必要に応じてグラフィックスデータの重畳処理等が行われた後に、映像出力端子１２４に出力される。また、ユーザ操作に応じて、グラフィック生成回路１２３からパネル駆動回路１２５に画像データが供給され、表示パネル１２６に再生画像が表示される。
【００５３】
また、デマルチプレクサ１２１で抽出された符号化オーディオストリームは、オーディオデコーダ１２７に供給される。この符号化オーディオストリームは、優先度情報を持つ複数のオブジェクト音源の符号化データを含むオブジェクトベースオーディオの符号化オーディオストリームである。
【００５４】
オーディオデコーダ１２７では、符号化オーディオストリームに対して復号化処理が施されて、所定チャネル数の非圧縮の音声データが得られると共に、この所定チャネル数の非圧縮の音声データを含む復号化済オーディオストリームが生成される。オーディオデコーダ１２７で生成された所定チャネル数の非圧縮の音声データは、音声出力端子１２９に出力される。
【００５５】
また、デマルチプレクサ１２１で抽出された符号化オーディオストリームは、選択部１２８に供給される。この選択部１２８には、オーディオデコーダ１２７で生成された復号化済オーディオストリームも供給される。選択部１２８では、ＣＰＵ１０４の制御のもと、ＨＤＭＩで受信側に送信するオーディオストリームとして、符号化オーディオストリームまたは復号化済オーディオストリームが取り出される。
【００５６】
ＣＰＵ１０４では、受信側の復号化能力情報（何番目の優先度まで復号化可能かを示す情報）に基づいて、受信側の復号化能力が自身の復号化能力以上か否かが判断され、その判断結果に基づいて選択部１２８を制御することが行われる。受信側の復号化能力が自身の復号化能力以上であるとき、選択部１２８では符号化オーディオストリームが取り出される。一方、受信側の復号化能力が自身の復号化能力以上でないととき、選択部１２８では復号化済オーディオストリームが取り出される。
【００５７】
再生時に、ＢＤドライブ１１２、ＨＤＤ１１３、あるいはＳＳＤ１１４で再生されたコンテンツデータをＨＤＭＩのＴＭＤＳチャネルで送信する場合、選択部１２８で取り出されたオーディオストリームがＨＤＭＩ送信部１０２に供給されると共に、ビデオデコーダ１２２で得られた非圧縮の画像データがＨＤＭＩ送信部１０２に供給される。ＨＤＭＩ送信部１０２では、これらの画像データおよびオーディオストリームがパッキングされ、ＨＤＭＩ端子１０１に出力される。
【００５８】
［オーディオアンプの構成例］
図５は、オーディオアンプ２００の構成例を示している。オーディオアンプ２００は、ＨＤＭＩ端子２０１ａ，２０１ｂと、ＨＤＭＩ受信部２０２ａと、ＨＤＭＩ送信部２０２ｂを有している。また、オーディオアンプ２００は、オーディオデコーダ２２１と、選択部２２２と、音声処理回路２２３と、音声増幅回路２２４と、音声出力端子２２５を有している。
【００５９】
また、オーディオアンプ２００は、内部バス２０３と、ＣＰＵ２０４と、フラッシュＲＯＭ２０５と、ＳＤＲＡＭ２０６と、表示制御部２０７と、パネル駆動回路２０８と、表示パネル２０９と、リモコン受信部２１０と、リモコン送信機２１１と、電源部２１２を有している。ＣＰＵ２０４、フラッシュＲＯＭ２０５、ＳＤＲＡＭ２０６および表示制御部２０７は、内部バス２０３に接続されている。
【００６０】
ＣＰＵ２０４は、オーディオアンプ２００の各部の動作を制御する。フラッシュＲＯＭ２０５は、制御ソフトウェアの格納およびデータの保管を行う。ＳＤＲＡＭ２０６は、ＣＰＵ２０４のワークエリアを構成する。ＣＰＵ２０４は、フラッシュＲＯＭ２０５から読み出したソフトウェアやデータをＳＤＲＡＭ２０６上に展開してソフトウェアを起動させ、オーディオアンプ２００の各部を制御する。
【００６１】
リモコン受信部２１０は、リモコン送信機２１１から送信されたリモーコントロール信号（リモコンコード）を受信し、ＣＰＵ２０４に供給する。ＣＰＵ２０４は、このリモコンコードに基づいて、オーディオアンプ２００の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００６２】
表示制御部２０７は、例えば、ユーザインタフェース表示あるいはオーディオアンプ２００のステータス表示等を行うために、パネル駆動回路２０８を制御し、表示パネル２０９における表示を制御する。表示パネル２０９は、例えば、ＬＣＤ(Liquid Crystal Display)、有機ＥＬパネル（Organic Electro-Luminescence Panel）等で構成されている。
【００６３】
なお、この実施の形態では、ＣＰＵ２０４の他に表示制御部２０７を有する例を示しているが、表示パネル２０９における表示をＣＰＵ２０４が直接制御するようにしてもよい。また、ＣＰＵ２０４と表示制御部２０７は、１つのチップになっていても、複数コアであってもよい。電源部２１２は、オーディオアンプ２００の各部に電源を供給する。この電源部２１２は、ＡＣ電源であっても、電池（蓄電池、乾電池）であってもよい。
【００６４】
ＨＤＭＩ受信部２０２ａは、ＨＤＭＩに準拠した通信により、ＨＤＭＩケーブルを介してＨＤＭＩ端子２０１ａに供給される非圧縮の画像データとオーディオストリームを受信する。このオーディオストリームは、優先度情報を持つ複数のオブジェクト音源の符号化データを含むオブジェクトベースオーディオの符号化オーディオストリーム、あるいは所定チャネル数の非圧縮の音声データを含む復号化済オーディオストリームである。このＨＤＭＩ受信部２０２ａの詳細は後述する。
【００６５】
オーディオデコーダ２２１は、ＨＤＭＩ受信部２０２ａで受信されたオーディオストリームが符号化オーディオストリームであるとき、この符号化オーディオストリームに対して復号化処理を施し、所定チャネル数の非圧縮の音声データを得ると共に、この所定チャネル数の非圧縮の音声データを含む復号化済オーディオストリームを生成する。
【００６６】
選択部２２２は、ＣＰＵ２０４の制御のもと、ＨＤＭＩ受信部２０２ａで受信されたオーディオストリームまたはオーディオデコーダ２２１で得られた復号化済オーディオストリームを取り出す。この場合、選択部２２２は、ＨＤＭＩ受信部２０２ａで受信されたオーディオストリームが符号化オーディオストリームであるときは、オーディオデコーダ２２１で得られた復号化済オーディオストリームを取り出す。また、選択部２２２は、ＨＤＭＩ受信部２０２ａで受信されたオーディオストリームが復号化済オーディオストリームであるときは、その復号化済オーディオストリームを取り出す。
【００６７】
音声処理回路２２３は、選択部２２２で取り出された復号化済オーディオストリームから所定チャネル数の非圧縮の音声データを取り出し、Ｄ／Ａ変換等の必要な処理を施す。なお、音声処理回路２２３は、接続されるスピーカシステム４００の構成に応じて必要なアップ/ダウンミックス処理を行って、必要なチャネル数の音声信号を得る。音声増幅回路２２４は、音声処理回路２２３で得られた各チャネルのオーディオ信号を増幅して音声出力端子２２５に出力する。なお、音声出力端子２２５にはスピーカシステム４００が接続される。
【００６８】
ＨＤＭＩ送信部２０２ｂは、ＨＤＭＩに準拠した通信により、ＨＤＭＩ受信部２０２ａで受信された非圧縮の画像データと、選択部２２２で取り出された復号化済オーディオストリームを、ＨＤＭＩ端子２０１ｂから送出する。ＨＤＭＩ送信部２０２ｂは、ＨＤＭＩのＴＭＤＳチャネルで送信するため、画像データおよびオーディオストリームをパッキングして、ＨＤＭＩ端子２０１ｂに出力する。このＨＤＭＩ送信部２０２ｂの詳細は後述する。
【００６９】
図５に示すオーディオアンプ２００の動作を簡単に説明する。ＨＤＭＩ受信部２０２ａでは、ＨＤＭＩ端子２０１ａにＢＤプレーヤ１００からＨＤＭＩケーブルを介して送信されてくる、非圧縮の画像データとオーディオストリーム（符号化オーディオストリームまたは復号化済オーディオストリーム）が受信される。
【００７０】
ＨＤＭＩ受信部２０２ａで受信されたオーディオストリームは、オーディオデコーダ２２１に供給される。オーディオデコーダ２２１では、ＨＤＭＩ受信部２０２ａで受信されたオーディオストリームが符号化オーディオストリームであるとき、この符号化オーディオストリームに対して復号化処理が施されて、所定チャネル数の非圧縮の音声データが得られると共に、この所定チャネル数の非圧縮の音声データを含む復号化済オーディオストリームが生成される。
【００７１】
選択部２２２では、ＣＰＵ２０４の制御のもと、ＨＤＭＩ受信部２０２ａで受信されたオーディオストリームまたはオーディオデコーダ２２１で得られた復号化済オーディオストリームが取り出される。この場合、選択部２２２では、ＨＤＭＩ受信部２０２ａで受信されたオーディオストリームが符号化オーディオストリームであるときは、オーディオデコーダ２２１で得られた復号化済オーディオストリームが取り出される。一方、選択部２２２では、ＨＤＭＩ受信部２０２ａで受信されたオーディオストリームが復号化済オーディオストリームであるときは、その復号化済オーディオストリームが取り出される。
【００７２】
これにより、選択部２２２からは、常に、復号化済オーディオストリームが取り出される。復号化済オーディオストリームは、自身の復号化能力が送信側の復号化能力以上であるときは、オーディオデコーダ２２１で生成されたものでる。また、この復号化済オーディオストリームは、自身の復号化能力が送信側の復号化能力以上でないときは、送信側のオーディオデコーダ（図２のオーディオデコーダ１２７参照）で生成されたものである。従って、この復号化済オーディオストリームは、符号化オーディオストリームに対して最適な復号化処理が適応されて得られたものとなる。
【００７３】
選択部２２２で取り出された復号化済オーディオストリームは、音声処理回路２２３に供給される。音声処理回路２２３では、復号化済オーディオストリームから所定チャネル数の非圧縮の音声データが取り出され、さらにアップ/ダウンミックス、Ｄ／Ａ変換等の必要な処理が施され、必要なチャネル数の音声信号が得られる。そして、ミューティングがオフ状態にあるとき、音声処理回路２２３から出力される各チャネルの音声信号が音声増幅回路２２４で増幅されて音声出力端子２２５に出力される。そのため、音声出力端子２２５に接続されたスピーカシステム４００から所定チャネル数の音声出力が得られる。
【００７４】
また、ＨＤＭＩ受信部２０２ａで受信された非圧縮の画像データと、選択部２２２で取り出された復号化済オーディオストリームは、ＨＤＭＩ送信部２０２ｂに供給される。なお、ＨＤＭＩ受信部２０２ａで受信された非圧縮の画像データそのものではなく、この画像データにグラフィックスデータの重畳等の処理が施された後の画像データがＨＤＭＩ送信部２０２ｂに供給されてもよい。ＨＤＭＩ送信部２０２ｂでは、これらの画像データおよびオーディオストリームがパッキングされ、ＨＤＭＩ端子２０１ｂに出力される。
【００７５】
［テレビ受信機の構成例］
図６は、テレビ受信機３００の構成例を示している。テレビ受信機３００は、ＨＤＭＩ端子３０１と、ＨＤＭＩ受信部３０２を有している。また、テレビ受信機３００は、内部バス３０３と、ＣＰＵ３０４と、フラッシュＲＯＭ３０５と、ＳＤＲＡＭ（Synchronous RAM）３０６と、表示制御部３０７と、リモコン受信部３０８と、リモコン送信機３０９と、電源部３１０と、イーサネットインタフェース（Ethernet I/F）３１１と、ネットワーク端子３１２を有している。
【００７６】
また、テレビ受信機３００は、アンテナ端子３２１と、デジタルチューナ３２２と、デマルチプレクサ３２３と、ビデオデコーダ３２４と、映像処理回路３２５と、グラフィック生成回路３２６と、パネル駆動回路３２７と、表示パネル３２８を有している。また、テレビ受信機３００は、オーディオデコーダ３２９と、音声処理回路３３０と、音声増幅回路３３１と、スピーカ３３２を有している。ＣＰＵ３０４、フラッシュＲＯＭ３０５、ＳＤＲＡＭ３０６、表示制御部３０７、イーサネットインタフェース３１１およびデマルチプレクサ３２３は、内部バス３０３に接続されている。
【００７７】
ＣＰＵ３０４は、テレビ受信機３００の各部の動作を制御する。フラッシュＲＯＭ３０５は、制御ソフトウェアの格納およびデータの保管を行う。ＳＤＲＡＭ３０６は、ＣＰＵ３０４のワークエリアを構成する。ＣＰＵ３０４は、フラッシュＲＯＭ３０５から読み出したソフトウェアやデータをＳＤＲＡＭ３０６上に展開してソフトウェアを起動させ、テレビ受信機３００の各部を制御する。
【００７８】
リモコン受信部３０８は、リモコン送信機３０９から送信されたリモートコントロール信号（リモコンコード）を受信し、ＣＰＵ３０４に供給する。ＣＰＵ３０４は、このリモコンコードに基づいて、テレビ受信機３００の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００７９】
電源部３１０は、テレビ受信機３００の各部に電源を供給する。なお、電源部３１０は、ＡＣ電源であっても、電池（蓄電池、乾電池）であってもよい。ネットワーク端子３１２は、ネットワークに接続する端子であり、イーサネットインタフェース３１１に接続される。イーサネットインタフェース３１１は、ネットワーク端子３１２を介して、ネットワーク接続をする。
【００８０】
ＨＤＭＩ受信部３０２は、ＨＤＭＩに準拠した通信により、ＨＤＭＩケーブルを介してＨＤＭＩ端子３０１に供給される非圧縮の画像データと復号化済オーディオストリームを受信する。この復号化済オーディオストリームには、所定チャネル数の非圧縮の音声データが含まれている。このＨＤＭＩ受信部３０２の詳細は後述する。
【００８１】
アンテナ端子３２１は、受信アンテナ（図示せず）で受信されたテレビ放送信号を入力する端子である。デジタルチューナ３２２は、アンテナ端子３２１に入力されたテレビ放送信号を処理して、ユーザの選択チャネルに対応したコンテンツデータである多重化ストリームを得る。
【００８２】
デマルチプレクサ３２３は、デジタルチューナ３２２で得られた多重化ストリームから符号化ビデオストリームおよび符号化オーディオストリームを抽出する。ビデオデコーダ３２４は、符号化ビデオストリームに対して復号化処理を行って、非圧縮の画像データを得る。映像処理回路３２５およびグラフィック生成回路３２６は、ビデオデコーダ３２４で得られた画像データ、あるいはＨＤＭＩ受信部３０２で受信された画像データに対して、必要に応じてスケーリング処理（解像度変換処理）、グラフィックスデータの重畳処理等を行う。
【００８３】
パネル駆動回路３２７は、グラフィック生成回路３２６から出力される画像データに基づいて、表示パネル３２８を駆動する。表示制御部３０７は、グラフィクス生成回路３２６やパネル駆動回路３２７を制御して、表示パネル３２８における表示を制御する。表示パネル３２８は、例えば、ＬＣＤ(Liquid Crystal Display)、ＰＤＰ(Plasma Display Panel)、有機ＥＬパネル（Organic Electro-Luminescence Panel）等で構成されている。
【００８４】
なお、この実施の形態では、ＣＰＵ３０４の他に表示制御部３０７を有する例を示しているが、表示パネル３２８における表示をＣＰＵ３０４が直接制御するようにしてもよい。また、ＣＰＵ３０４と表示制御部３０７は、１つのチップになっていても、複数コアであってもよい。
【００８５】
オーディオデコーダ３２９は、デマルチプレクサ３２３で抽出された符号化オーディオストリームに対して復号化処理を施し、所定チャネル数の非圧縮の音声データを得る。
【００８６】
音声処理回路３３０は、オーディオデコーダ３２９で得られた所定チャネル数の非圧縮の音声データに、スピーカ３３２の構成に応じたアップ/ダウンミックスやＤ／Ａ変換等の必要な処理を施し、必要なチャネル数の音声信号を得る。あるいは、音声処理回路３３０は、ＨＤＭＩ受信部３０２で受信された復号化済オーディオストリームから所定チャネル数の非圧縮の音声データを取り出し、スピーカ３３２の構成に応じたアップ/ダウンミックスやＤ／Ａ変換等の必要な処理を施し、必要なチャネル数の音声信号を得る。
【００８７】
音声増幅回路３３１は、音声処理回路３３０で得られた各チャネルのオーディオ信号を増幅してスピーカ３３２に供給する。なお、スピーカ３３２は、モノラルでもステレオでもよい。また、スピーカ３３２は、イヤホン、ヘッドホンでもよい。また、スピーカ３３２は、２．１チャネルや、５．１チャネルなどのマルチチャネル対応であってもよい。また、スピーカ３３２は、テレビ受信機３００と無線で接続されてもよい。また、スピーカ３３２は、他機器であってもよい。
【００８８】
図６に示すテレビ受信機３００の動作を簡単に説明する。ＨＤＭＩ受信部３０２では、ＨＤＭＩ端子３０１にオーディオアンプ２００からＨＤＭＩケーブルを介して送信されてくる、非圧縮の画像データと復号化済オーディオストリームが受信される。復号化済オーディオストリームには、所定チャネル数の非圧縮の音声データが含まれている。非圧縮の画像データは、映像処理回路３２５に供給され、復号化済オーディオストリームは音声処理回路３３０に供給される。
【００８９】
また、アンテナ端子３２１に入力されたテレビ放送信号はデジタルチューナ３２２に供給される。このデジタルチューナ３２２では、テレビ放送信号が処理されて、ユーザの選択チャネルに対応したコンテンツデータである多重化ストリームが得られる。この多重化ストリームは、デマルチプレクサ３２３に供給される。
【００９０】
デマルチプレクサ３２３では、多重化ストリームから符号化ビデオストリームおよび符号化オーディオストリームが抽出される。符号化ビデオストリームはビデオデコーダ３２４に供給される。ビデオデコーダ３２４では、符号化ビデオストリームに対して復号化処理が施されて、非圧縮の画像データが得られる。この非圧縮の画像データは、映像処理回路３２５に供給される。
【００９１】
映像処理回路３２５およびグラフィック生成回路３２６では、ビデオデコーダ３２４で得られた画像データ、あるいはＨＤＭＩ受信部３０２で受信された画像データに対して、必要に応じてスケーリング処理（解像度変換処理）、グラフィックスデータの重畳処理等が行われる。処理後の画像データは、パネル駆動回路３２７に供給され、表示パネル３２８には、その画像データに対応した画像が表示される。
【００９２】
また、デマルチプレクサ３２３で抽出された符号化オーディオストリームは、オーディオデコーダ３２９に供給される。オーディオデコーダ３２９では、符号化オーディオストリームに対して復号化処理が施されて、所定チャネル数の非圧縮の音声データが得られる。この所定チャネル数の非圧縮の音声データは、音声処理回路３３０に供給される。
【００９３】
音声処理回路３３０では、オーディオデコーダ３２９で得られた所定チャネル数の非圧縮の音声データに、スピーカ３３２の構成に応じたアップ/ダウンミックスやＤ／Ａ変換等の必要な処理が施されて、必要なチャネル数の音声信号が得られる。あるいは、この音声処理回路３３０では、ＨＤＭＩ受信部３０２で受信された復号化済オーディオストリームから所定チャネル数の非圧縮の音声データが取り出された後に、スピーカ３３２の構成に応じたアップ/ダウンミックスやＤ／Ａ変換等の必要な処理が施されて、必要なチャネル数の音声信号が得られる。
【００９４】
音声処理回路３３０で得られた所定チャネル数の音声信号は、音声増幅回路３３１で増幅された後に、スピーカ３３２に供給される。そのため、スピーカ３３２から、表示パネル３２８の画像表示に対応した、モノラル、ステレオあるいはマルチチャネルの音声が出力される。
【００９５】
「ＨＤＭＩ送信部/受信部の構成例」
図７は、図１のＡＶシステム１０における、ＢＤプレーヤ１００のＨＤＭＩ送信部１０２とオーディオアンプ２００のＨＤＭＩ受信部２０２ａの構成例を示している。なお、オーディオアンプ２００のＨＤＭＩ送信部２０２ｂとテレビ受信機３００のＨＤＭＩ受信部３０２の構成例に関しては、同様の構成となるので、説明は省略する。
【００９６】
ＨＤＭＩ送信部１０２は、一の垂直同期信号から次の垂直同期信号までの区間から、水平帰線区間２２および垂直帰線区間２３を除いた区間である有効画像区間２１（以下、適宜、「アクティブビデオ区間」ともいう）（図８参照）において、非圧縮の１画面分の画像の画素データに対応する差動信号を、複数のチャネルで、ＨＤＭＩ受信部２０２ａに一方向に送信する。また、ＨＤＭＩ送信部１０２は、水平帰線区間２２または垂直帰線区間２３において、少なくとも画像に付随する音声データや制御データ、その他の補助データ等に対応する差動信号を、複数のチャネルで、ＨＤＭＩ受信部２０２ａに一方向に送信する。
【００９７】
すなわち、ＨＤＭＩ送信部１０２は、ＨＤＭＩトランスミッタ３１を有する。トランスミッタ３１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部２０２ａに、一方向にシリアル伝送する。
【００９８】
また、トランスミッタ３１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部２０２ａに一方向にシリアル伝送する。
【００９９】
ＨＤＭＩ受信部２０２ａは、アクティブビデオ区間２１（図８参照）において、複数のチャネルで、ＨＤＭＩ送信部１０２から一方向に送信されてくる、画素データに対応する差動信号を受信する。また、ＨＤＭＩ受信部２０２ａは、水平帰線区間２２（図８参照）または垂直帰線区間２３（図８参照）において、複数のチャネルで、ＨＤＭＩ送信部１０２から一方向に送信されてくる、音声データや制御データに対応する差動信号を受信する。
【０１００】
ＨＤＭＩ送信部１０２とＨＤＭＩ受信部２０２ａとからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）３３やＣＥＣ（Consumer Electronics Control）ライン３４と呼ばれる伝送チャネルがある。
【０１０１】
ＤＤＣ３３は、ＨＤＭＩケーブル５１０に含まれる２本の信号線からなり、ＨＤＭＩ送信部１０２が、ＨＤＭＩケーブル５１０を介して接続されたＨＤＭＩ受信部２０２ａから、ＥＤＩＤ（Extended Display Identification Data）を読み出すために使用される。すなわち、ＨＤＭＩ受信部２０２ａは、ＨＤＭＩレシーバ３２の他に、自身の性能（Configuration・Capability）に関する性能情報であるＥＤＩＤを記憶している、ＥＤＩＤ ＲＯＭ（Read Only Memory）を有している。オーディオアンプ２００においては、このＥＤＩＤの一つとして復号化能力情報（図３参照）が記録されている。ＨＤＭＩ送信部１０２がＥＤＩＤを読み出すことで、受信側の復号化能力情報が送信側に送られることになる。
【０１０２】
ＨＤＭＩ送信部１０２は、ＨＤＭＩケーブル５１０を介して接続されているＨＤＭＩ受信部２０２ａから、ＥＤＩＤを、ＤＤＣ３３を介して読み出す。そして、ＢＤプレーヤ１００のＣＰＵ１０４は、そのＥＤＩＤに基づき、ＨＤＭＩ受信部２０２ａを有するオーディオアンプ２００の性能を認識する。
【０１０３】
ＣＥＣライン３４は、ＨＤＭＩケーブル５１０に含まれる１本の信号線からなり、ＨＤＭＩ送信部１０２とＨＤＭＩ受信部２０２ａとの間で、制御用のデータの双方向通信を行うために用いられる。また、ＨＤＭＩケーブル５１０には、ＨＰＤ（Hot Plug Detect）と呼ばれるピンに接続されるＨＰＤライン３５が含まれている。
【０１０４】
ソース機器は、このＨＰＤライン３５を利用して、直流バイアス電位により、シンク機器の接続を検出することができる。この場合、ＨＰＤライン３５は、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【０１０５】
また、ＨＤＭＩケーブル５１０には、ソース機器からシンク機器に電源を供給するために用いられる電源ライン３６が含まれている。さらに、ＨＤＭＩケーブル５１０には、リザーブライン３７が含まれている。ＨＰＤライン３５とリザーブライン３７を用い て、一対の差動伝送路を構成し、双方向通信路として用いる場合もある。
【０１０６】
図８は、ＴＭＤＳチャネルにおいて、横×縦が１９２０ピクセル×１０８０ラインの画像データが伝送される場合の、各種の伝送データの区間を示している。ＨＤＭＩの３つのＴＭＤＳチャネルで伝送データが伝送されるビデオフィールド（Video Field）には、伝送データの種類に応じて、ビデオデータ区間２４（Video Data Period）、データアイランド区間２５（Data Island Period）、およびコントロール区間２６（Control Period）の３種類の区間が存在する。
【０１０７】
ここで、ビデオフィールド区間は、ある垂直同期信号の立ち上がりエッジ（Active Edge）から次の垂直同期信号の立ち上がりエッジまでの区間であり、水平帰線期間２２（Horizontal Blanking）、垂直帰線期間２３（Vertical Blanking）、並びに、ビデオフィールド区間から、水平帰線期間および垂直帰線期間を除いた区間である有効画素区間２１（Active Video）に分けられる。
【０１０８】
ビデオデータ区間２４は、有効画素区間２１に割り当てられる。このビデオデータ区間２４では、非圧縮の１画面分の画像データを構成する１９２０ピクセル（画素）×１０８０ライン分の有効画素（Active Pixel）のデータが伝送される。データアイランド区間２５およびコントロール区間２６は、水平帰線期間２２および垂直帰線期間２３に割り当てられる。このデータアイランド区間２５およびコントロール区間２６では、補助データ（Auxiliary Data）が伝送される。
【０１０９】
すなわち、データアイランド区間２５は、水平帰線期間２２と垂直帰線期間２３の一部分に割り当てられている。このデータアイランド区間２５では、補助データのうち、制御に関係しないデータである、例えば、音声データのパケット等が伝送される。コントロール区間２６は、水平帰線期間２２と垂直帰線期間２３の他の部分に割り当てられている。このコントロール区間２６では、補助データのうちの、制御に関係するデータである、例えば、垂直同期信号および水平同期信号、制御パケット等が伝送される。
【０１１０】
上述したように、図１に示すＡＶシステム１０において、ＢＤプレーヤ１００はオーディオアンプ２００に、ＨＤＭＩのデジタルインタフェースを介して、受信側の復号化能力が自身の復号化能力以上であるときは符号化ストリームを送信し、受信側の復号化能力が自身の復号化能力以上でないときは復号化済ストリームを送信するものである。そのため、符号化ストリームに対して最適な復号化処理の適用が可能となり、ユーザはオーディオアンプ２００に接続されているスピーカシステム４００から最適な状態の音声出力を得ることができる。
【０１１１】
また、図１に示すＡＶシステム１０において、ＢＤプレーヤ１００はオーディオアンプ２００から復号化能力情報を受信して、受信側の復号化能力が自身の復号化能力以上であるか否かを判断し、符号化ストリームを送信するか復号化済ストリームを送信するかを決定する。そのため、ユーザは、何等かの操作が課されることなく、オーディオアンプ２００に接続されているスピーカシステム４００から最適な状態の音声出力を得ることができる。
【０１１２】
＜２．変形例＞
なお、上述実施の形態においては、優先度情報を持つ複数の符号化データを含む符号化ストリームがオブジェクトベースオーディオの符号化オーディオストリームである例を示した。本技術は、優先度情報を持つ複数の符号化ビデオデータを含む符号化ビデオストリームを取り扱う場合にも同様に適用できることは勿論である。この場合、符号化ビデオストリームに対する復号化処理は、送信側と受信側のうち復号化能力の高い方で行われる。
【０１１３】
また、上述実施の形態においては、ＨＤＭＩのデジタルインタフェースである例を示したが、デジタルインタフェースはＨＤＭＩに限定されない。
【０１１４】
また、技術は、以下のような構成もとることができる。
（１）優先度情報を持つ複数の符号化データを含む符号化ストリームを取得するストリーム取得部と、
上記ストリーム取得部で取得された符号化ストリームに復号化処理を施して復号化済データを含む復号化済ストリームを生成するデコード部と、
何番目の優先度まで復号化可能かを示す受信側の復号化能力情報に基づいて上記受信側の復号化能力が自身の復号化能力以上か否かを判断する判断部と、
上記受信側に、デジタルインタフェースを介して、上記判断部で上記受信側の復号化能力が自身の復号化能力以上であると判断されたときは上記ストリーム取得部で取得された符号化ストリームを送信し、上記判断部で上記受信側の復号化能力が自身の復号化能力以上でないと判断されたときは上記デコード部で生成された復号化済ストリームを送信する送信部を備える
送信装置。
（２）上記符号化ストリームは、優先度情報を持つ複数のオブジェクト音源の符号化データを含むオブジェクトベースオーディオの符号化オーディオストリームであり、
上記デコード部は、上記ストリーム取得部で取得された上記符号化オーディオストリームに復号化処理を施して上記復号化済データとして所定チャネル数の音声データを含む復号化済オーディオストリームを生成する
前記（１）に記載の送信装置。
（３）上記受信側から、上記デジタルインタフェースを介して、上記受信側の復号化能力情報を受信する情報受信部をさらに備える
前記（１）または（２）に記載の送信装置。
（４）上記デジタルインタフェースはＨＤＭＩである
前記（１）から（３）のいずれかに記載の送信装置。
（５）優先度報を持つ複数の符号化データを含む符号化ストリームを取得するストリーム取得ステップと、
何番目の優先度まで復号化可能かを示す受信側の復号化能力情報に基づいて上記受信側の復号化能力が自身の復号化能力以上か否かを判断する判断ステップと、
送信部により、上記受信側に、デジタルインタフェースを介して、上記判断ステップで上記受信側の復号化能力が自身の復号化能力以上であると判断されたときは上記ストリーム取得ステップで取得された符号化ストリームを送信し、上記判断ステップで上記受信側の復号化能力が自身の復号化能力以上でないと判断されたときは上記ストリーム取得ステップで取得された符号化ストリームに復号化処理を施して生成された、復号化済データを持つ復号化済ストリームを送信する送信ステップを有する
送信方法。
（６）何番目の優先度まで復号化可能かを示す自身の復号化能力情報を、デジタルインタフェースを介して、送信側に送信する情報送信部と、
上記送信側から、上記デジタルインタフェースを介して、優先度情報を持つ複数の符号化データを含む符号化ストリームまたは該符号化ストリームに復号化処理が施されて生成された復号化済データを持つ復号化済ストリームを受信する受信部と、
上記受信部で上記符号化ストリームが受信されたとき、該符号化ストリームに復号化処理を施して復号化済データを含む復号化済ストリームを生成するデコード部を備える
受信装置。
（７）上記符号化ストリームは、優先度情報を持つ複数のオブジェクト音源の符号化データを含むオブジェクトベースオーディオの符号化オーディオストリームであり、
上記復号化済ストリームは、上記符号化オーディオストリームに復号化処理が施されて生成された所定チャネル数の音声データを上記復号化済みデータとして含む
前記（６）に記載の受信装置。
（８）上記デジタルインタフェースはＨＤＭＩである
前記（６）または（７）に記載の受信装置。
（９）何番目の優先度まで復号化可能かを示す自身の復号化能力情報を、デジタルインタフェースを介して、送信側に送信する情報送信ステップと、
受信部により、上記送信側から、上記デジタルインタフェースを介して、優先度情報を持つ複数の符号化データを含む符号化ストリームまたは該符号化ストリームに復号化処理が施されて生成された復号化済データを持つ復号化済ストリームを受信する受信ステップと、
上記受信ステップで上記符号化ストリームが受信されたとき、該符号化ストリームに復号化処理を施して復号化済データを含む復号化済ストリームを生成するデコードステップを有する
受信方法。
【符号の説明】
【０１１５】
１０・・・・ＡＶシステム
１００・・・ＢＤプレーヤ
１０１・・・ＨＤＭＩ端子
１０２・・・ＨＤＭＩ送信部
１０３・・・内部バス
１０４・・・ＣＰＵ
１０５・・・フラッシュＲＯＭ
１０６・・・ＳＤＲＡＭ
１０７・・・表示制御部
１０８・・・リモコン受信部
１０９・・・リモコン送信機
１１１・・・記憶媒体制御インタフェース
１１２・・・ＢＤドライブ
１１３・・・ＨＤＤ
１１４・・・ＳＳＤ
１１５・・・イーサネットインタフェース
１１６・・・ネットワーク端子
１２１・・・デマルチプレクサ
１２２・・・ビデオデコーダ
１２３・・・グラフィック生成回路
１２４・・・映像出力端子
１２５・・・パネル駆動回路
１２６・・・表示パネル
１２７・・・オーディオデコーダ
１２８・・・選択部
１２９・・・音声出力端子
１３１・・・電源部
２００・・・オーディオアンプ
２０１ａ，２０１ｂ・・・ＨＤＭＩ端子
２０２ａ・・・ＨＤＭＩ受信部
２０２ｂ・・・ＨＤＭＩ送信部
２０３・・・内部バス
２０４・・・ＣＰＵ
２０５・・・フラッシュＲＯＭ
２０６・・・ＳＤＲＡＭ
２０７・・・表示制御部
２０８・・・パネル駆動回路
２０９・・・表示パネル
２１０・・・リモコン受信部
２１１・・・リモコン送信機
２１２・・・電源部
２２１・・・オーディオデコーダ
２２２・・・選択部
２２３・・・音声処理回路
２２４・・・音声増幅回路
２２５・・・音声出力端子
３００・・・テレビ受信機
３０１・・・ＨＤＭＩ端子
３０２・・・ＨＤＭＩ受信部
３０３・・・内部バス
３０４・・・ＣＰＵ
３０５・・・フラッシュＲＯＭ
３０６・・・ＳＤＲＡＭ
３０７・・・表示制御部
３０８・・・リモコン受信部
３０９・・・リモコン送信機
３１０・・・電源部
３１１・・・イーサネットインタフェース
３１２・・・ネットワーク端子
３２１・・・アンテナ端子
３２２・・・デジタルチューナ
３２３・・・デマルチプレクサ
３２４・・・ビデオデコーダ
３２５・・・映像処理回路
３２６・・・グラフィック生成回路
３２７・・・パネル駆動回路
３２８・・・表示パネル
３２９・・・オーディオデコーダ
３３０・・・音声処理回路
３３１・・・音声増幅回路
３３２・・・スピーカ
４００・・・スピーカシステム
５１０，５２０・・・ＨＤＭＩケーブル
【図１】
2016163327.tif 000003
【図２】
2016163327.tif 000004
【図３】
2016163327.tif 000005
【図４】
2016163327.tif 000006
【図５】
2016163327.tif 000007
【図６】
2016163327.tif 000008
【図７】
2016163327.tif 000009
【図８】
2016163327.tif 000010
【国際調査報告】
2016163327.tif 000011
2016163327.tif 000012